(57)【要約】【課題】  音声符号化部、音声復号部、コードブックをそれぞれ統合することにより、メモリの効率的な利用を可能にする。【解決手段】  通話音声符号化部４は、マイクから入力された音声通話用の音声データ、ビデオ録画用の音声データのいずれに対しても共通するコードブック（音声通信）５を用いて符号化を行い、通話音声復号部９は、無線部１３により受信された音声データ、記憶部１１からのビデオ再生用の音声データのいずれに対しても共通するコードブック（音声通信）５を用いて復号を行い、レシーバ８に出力し、音声符号化部、音声復号部、コードブックをそれぞれ統合することにより、メモリの効率的な利用を可能にする。【選択図】        図１
2005348138.tif 000002
【特許請求の範囲】
【請求項１】
データの送信及びデータの記憶が可能な通信装置であって、
送信対象の送信対象データ及び記憶対象の記憶対象データのそれぞれを取得するデータ取得部と、
送信対象データ及び記憶対象データのいずれに対しても共通するコードブックを用いて符号化を行うデータ符号化部と、
前記データ符号化部により符号化された後の送信対象データを送信する通信部と、
前記データ符号化部により符号化された後の記憶対象データを記憶する記憶部と、
前記データ符号化部及び前記記憶部により記憶対象データの符号化及び記憶が行われている際に前記通信部により着信の検出があった場合に、前記データ符号化部及び前記記憶部による記憶対象データの符号化処理及び記憶処理と前記通信部による着信処理とのいずれを優先すべきかを判断し、前記データ符号化部及び前記記憶部による記憶対象データの符号化処理及び記憶処理を優先すべき場合に、前記通信部を制御して着信処理を停止させ、前記データ符号化部及び前記記憶部による記憶対象データの符号化処理及び記憶処理を継続させ、前記通信部による着信処理を優先すべき場合に、前記データ符号化部及び前記記憶部を制御して記憶対象データの符号化処理及び記憶処理を停止させ、前記通信部に着信処理を継続させる制御部とを有することを特徴とする通信装置。
【請求項２】
前記データ取得部は、
送信対象の送信対象音声データ及び記憶対象の記憶対象音声データのそれぞれを取得し、
前記データ符号化部は、
送信対象音声データ及び記憶対象音声データのいずれに対しても共通するコードブックを用いて符号化を行い、
前記通信部は、
前記データ符号化部により符号化された後の送信対象音声データを送信し、
前記記憶部は、
前記データ符号化部により符号化された後の記憶対象音声データを記憶することを特徴とする請求項１に記載の通信装置。
【請求項３】
前記データ取得部は、
送信対象の送信対象画像データ及び記憶対象の記憶対象画像データのそれぞれを取得し、
前記データ符号化部は、
送信対象画像データ及び記憶対象画像データのいずれに対しても共通するコードブックを用いて符号化を行い、
前記通信部は、
前記データ符号化部により符号化された後の送信対象画像データを送信し、
前記記憶部は、
前記データ符号化部により符号化された後の記憶対象画像データを記憶することを特徴とする請求項１に記載の通信装置。
【請求項４】
前記記憶部は、
前記データ符号化部及び前記記憶部による記憶対象データの符号化処理及び記憶処理に優先して着信処理を行う着信を識別するための優先着信識別情報を記憶し、
前記制御部は、
前記データ符号化部及び前記記憶部により記憶対象データの符号化及び記憶が行われている際に前記通信部により着信の検出があった場合に、前記通信部により検出された着信を前記記憶部に記憶されている優先着信識別情報に基づいて解析し、解析結果に従って前記データ符号化部及び前記記憶部による記憶対象データの符号化処理及び記憶処理と前記通信部による着信処理とのいずれを優先すべきかを判断することを特徴とする請求項１に記載の通信装置。
【請求項５】
データの受信及びデータの再生が可能な通信装置であって、
データを受信する通信部と、
データを記憶する記憶部と、
前記通信部により受信された受信データ及び前記記憶部に記憶されている再生用データのいずれに対しても共通するコードブックを用いて復号を行うデータ復号部と、
前記データ復号部により復号された復号後の受信データ及び復号後の再生用データのそれぞれを出力するデータ出力部と、
前記データ復号部及び前記データ出力部により再生用データの復号及び出力が行われている際に前記通信部により着信の検出があった場合に、前記データ復号部及び前記データ出力部による再生用データの復号処理及び出力処理と前記通信部による着信処理とのいずれを優先すべきかを判断し、前記データ復号部及び前記データ出力部による再生用データの復号処理及び出力処理を優先すべき場合に、前記通信部を制御して着信処理を停止させ、前記データ復号部及び前記データ出力部による再生用データの復号処理及び出力処理を継続させ、前記通信部による着信処理を優先すべき場合に、前記データ復号部及び前記データ出力部を制御して再生用データの復号処理及び出力処理を停止させ、前記通信部に着信処理を継続させる制御部とを有することを特徴とする通信装置。
【請求項６】
前記通信部は、
音声データを受信し、
前記記憶部は、
音声データを記憶し、
前記データ復号部は、
前記通信部により受信された受信音声データ及び前記記憶部に記憶されている再生用音声データのいずれに対しても共通するコードブックを用いて復号を行い、
前記データ出力部は、
前記データ復号部により復号された復号後の受信音声データ及び復号後の再生用音声データのそれぞれを出力することを特徴とする請求項５に記載の通信装置。
【請求項７】
前記通信部は、
画像データを受信し、
前記記憶部は、
画像データを記憶し、
前記データ復号部は、
前記通信部により受信された受信画像データ及び前記記憶部に記憶されている再生用画像データのいずれに対しても共通するコードブックを用いて復号を行い、
前記データ出力部は、
前記データ復号部により復号された復号後の受信画像データ及び復号後の再生用画像データのそれぞれを出力することを特徴とする請求項５に記載の通信装置。
【請求項８】
前記記憶部は、
前記データ復号部及び前記データ出力部による再生対象データの復号処理及び出力処理に優先して着信処理を行う着信を識別するための優先着信識別情報を記憶し、
前記制御部は、
前記データ復号部及び前記データ出力部により再生対象データの復号及び出力が行われている際に前記通信部により着信の検出があった場合に、前記通信部により検出された着信を前記記憶部に記憶されている優先着信識別情報に基づいて解析し、解析結果に従って前記データ復号部及び前記データ出力部による再生対象データの復号処理及び出力処理と前記通信部による着信処理とのいずれを優先すべきかを判断することを特徴とする請求項５に記載の通信装置。
【請求項９】
データの送信及びデータの記憶を行うデータ処理方法であって、
送信対象の送信対象データ及び記憶対象の記憶対象データのそれぞれを取得するデータ取得ステップと、
送信対象データ及び記憶対象データのいずれに対しても共通するコードブックを用いて符号化を行うデータ符号化ステップと、
前記データ符号化ステップにより符号化された後の送信対象データを送信する通信ステップと、
前記データ符号化ステップにより符号化された後の記憶対象データを記憶する記憶ステップと、
前記データ符号化ステップ及び前記記憶ステップにより記憶対象データの符号化及び記憶が行われている際に着信の検出があった場合に、前記データ符号化ステップ及び前記記憶ステップによる記憶対象データの符号化処理及び記憶処理と前記通信ステップによる着信処理とのいずれを優先すべきかを判断し、前記データ符号化ステップ及び前記記憶ステップによる記憶対象データの符号化処理及び記憶処理を優先すべき場合に、前記通信ステップを制御して着信処理を停止させ、前記データ符号化ステップ及び前記記憶ステップによる記憶対象データの符号化処理及び記憶処理を継続させ、前記通信ステップによる着信処理を優先すべき場合に、前記データ符号化ステップ及び前記記憶ステップを制御して記憶対象データの符号化処理及び記憶処理を停止させ、前記通信ステップに着信処理を継続させる制御ステップとを有することを特徴とするデータ処理方法。
【請求項１０】
データの受信及びデータの再生を行うデータ処理方法であって、
受信された受信データ及び再生対象の再生用データのいずれに対しても共通するコードブックを用いて復号を行うデータ復号ステップと、
前記データ復号ステップにより復号された復号後の受信データ及び復号後の再生用データのそれぞれを出力するデータ出力ステップと、
前記データ復号ステップ及び前記データ出力ステップにより再生用データの復号及び出力が行われている際に前記通信ステップにより着信の検出があった場合に、前記データ復号ステップ及び前記データ出力ステップによる再生用データの復号処理及び出力処理と前記通信ステップによる着信処理とのいずれを優先すべきかを判断し、前記データ復号ステップ及び前記データ出力ステップによる再生用データの復号処理及び出力処理を優先すべき場合に、前記通信ステップを制御して着信処理を停止させ、前記データ復号ステップ及び前記データ出力ステップによる再生用データの復号処理及び出力処理を継続させ、前記通信ステップによる着信処理を優先すべき場合に、前記データ復号ステップ及び前記データ出力ステップを制御して再生用データの復号処理及び出力処理を停止させ、前記通信ステップに着信処理を継続させる制御ステップとを有することを特徴とするデータ処理方法。
【請求項１１】
データの送信及びデータの記憶をコンピュータに実行させるプログラムであって、
送信対象の送信対象データ及び記憶対象の記憶対象データのそれぞれを取得するデータ取得処理と、
送信対象データ及び記憶対象データのいずれに対しても共通するコードブックを用いて符号化を行うデータ符号化処理と、
前記データ符号化処理により符号化された後の送信対象データを送信する通信処理と、
前記データ符号化処理により符号化された後の記憶対象データを記憶する記憶処理と、
着信があった際に着信に対する応答を行う着信処理と、
記憶対象データの符号化及び記憶が行われている際に着信の検出があった場合に、記憶対象データのデータ符号化処理及び記憶処理と着信処理とのいずれを優先すべきかを判断し、記憶対象データのデータ符号化処理及び記憶処理を優先すべき場合に、着信処理を停止させ、記憶対象データのデータ符号化処理及び記憶処理を継続させ、着信処理を優先すべき場合に、記憶対象データの符号化処理及び記憶処理を停止させ、着信処理を継続させる制御処理とをコンピュータに実行させることを特徴とするプログラム。
【請求項１２】
データの受信及びデータの再生をコンピュータに実行させるプログラムであって、
受信された受信データ及び再生対象の再生用データのいずれに対しても共通するコードブックを用いて復号を行うデータ復号処理と、
前記データ復号処理により復号された復号後の受信データ及び復号後の再生用データのそれぞれを出力するデータ出力処理と、
着信があった際に着信に対する応答を行う着信処理と、
再生用データの復号及び出力が行われている際に着信の検出があった場合に、再生用データのデータ復号処理及び出力処理と着信処理とのいずれを優先すべきかを判断し、再生用データのデータ復号処理及び出力処理を優先すべき場合に、着信処理を停止させ、再生用データのデータ復号処理及び出力処理を継続させ、着信処理を優先すべき場合に、再生用データのデータ復号処理及び出力処理を停止させ、着信処理を継続させる制御処理をコンピュータに実行させることを特徴とするプログラム。
【発明の詳細な説明】
【技術分野】
【０００１】
本発明は、特に、ビデオ機能を有するカメラつき携帯電話装置に関する。
【背景技術】
【０００２】
図１１に、ビデオ機能を有する従来のカメラつき携帯電話装置の構成を示す。図中の１は操作者が機能の選択および操作をする操作部、２は画像データを入力するカメラ、３は音声データを入力するマイク、４は音声通話時にマイクから入力した音声データを５のコードブック（音声通信）を用いて圧縮する通話音声符号化部、６はビデオ録画時にマイクから入力した音声データを７のコードブック（ビデオ）を用いて圧縮するビデオ音声符号化部である。８は音声データを出力するレシーバ、９は音声通話時にレシーバに出力する音声データを５のコードブック（音声通信）を用いて復号する通話音声復号部、１０はビデオ再生時にレシーバに出力する音声データを７のコードブック（ビデオ）を用いて復号するビデオ音声復号部である。１１はカメラとマイクから入力した画像データおよび音声データを記憶する記憶部、１２はカメラから入力した画像や記憶部のデータなど操作者が必要とする情報を表示する表示部、１３は通信回線１４との送受信を行う無線部、１５はこれらの装置を制御する制御部である。
【０００３】
次に動作について説明する。音声通話の場合、無線部１３を通じて通信回線１４から受信した音声データを、コードブック（音声通信）５を使用して通話音声復号部９で復号化して、レシーバ８より音声を出力する。マイクから入力された音声データは、コードブック（音声通信）５を使用して通話音声符号化部４で符号化され、無線部より通信回線に送信される。また、ビデオ録画の場合は、マイクから入力された音声データを、コードブック（ビデオ）７を使用してビデオ音声符号化部６で符号化し、カメラから入力された画像データとともに音声データとして記憶部１１に記憶する。ビデオ再生時は、記憶部１１に保存された画像データを表示部に表示しながら、同時に記録された音声データを、コードブック（ビデオ）７を使用してビデオ音声復号部１０で復号し、レシーバ８から出力する。
【０００４】
この場合、図１２に示すように、マイクから音声を入力するときに（Ｓ１２０１）、ビデオが起動中の場合（Ｓ１２０２でＹｅｓ）は、ビデオ音声符号化部でコードブック（ビデオ）を使用して音声を符号化し（Ｓ１２０３）、カメラから入力された画像とあわせて（Ｓ１２０４）記憶部に記憶する（Ｓ１２０５）。ビデオ起動中でない場合（Ｓ１２０２でＮｏ）は、通話音声符号化部でコードブック（音声通信）を使用して音声を符号化し（Ｓ１２０６）、無線部より通信回線に出力する（Ｓ１２０７）。
【０００５】
また、図１３に示すように、音声を出力する場合は（Ｓ１３０１）、ビデオ起動中であれば（Ｓ１３０２でＹｅｓ）記憶装置から再生する音声データを入力し（Ｓ１３０４）、ビデオ音声復号部でコードブック（ビデオ）を使用して音声を復号し（Ｓ１３０５）、レシーバから音声を出力する（Ｓ１３０８）。ビデオ起動中でない場合（Ｓ１３０２でＮｏ）は、通信回線から再生する音声データを入力し（Ｓ１３０６）、通話音声復号部でコードブック（音声通信）を使用して音声を復号し（Ｓ１３０７）、レシーバから音声を出力する（Ｓ１３０８）。
【０００６】
従って、従来のビデオ機能を有するカメラつき携帯電話では、マイクから入力される音声データに対して、音声通信用とビデオ録画用で音声符号化部やコードブックを別々に持たなければならない。また、レシーバから出力される音声データに対しても、音声復号部やコードブックを別々に持つ必要があった。
【０００７】
従来のビデオ機能を有するカメラつき携帯電話は、以上のように構成されているので、マイクから入力される音声に対して複数の音声符号化部、レシーバから出力される音声に対して複数の音声復号部、機能ごとにコードブックが必要であるため、メモリを効率良く利用できないという問題があった。
【０００８】
また、別の背景技術として、特開平１０−３２７３７７号公報に開示された「携帯電話機能付ビデオカメラ」では、携帯電話により外部との間で動画像を送受信可能なビデオカメラを得ることを目的とし、被撮像対象を動画像として撮像する際は、その動画像がディスプレイ上に表示されるとともに、符号化メモリからの符号化動画像が外部に送信され、一方で、携帯電話本体部分を介し外部から符号化動画像が受信される際には、復調回路からの符号化動画像がディスプレイ７上に表示される。
【特許文献１】特開平１０−３２７３７７号公報
【発明の開示】
【発明が解決しようとする課題】
【０００９】
本発明は、上記の問題、すなわち、音声符号化部、音声復号部、コードブックをそれぞれ重複して用意しなければならないという問題を解決することを主な目的としており、音声符号化部、音声復号部、コードブックをそれぞれ統合することにより、メモリの効率的な利用を可能にする。
【課題を解決するための手段】
【００１０】
本発明に係る通信装置は、
データの送信及びデータの記憶が可能な通信装置であって、
送信対象の送信対象データ及び記憶対象の記憶対象データのそれぞれを取得するデータ取得部と、
送信対象データ及び記憶対象データのいずれに対しても共通するコードブックを用いて符号化を行うデータ符号化部と、
前記データ符号化部により符号化された後の送信対象データを送信する通信部と、
前記データ符号化部により符号化された後の記憶対象データを記憶する記憶部と、
前記データ符号化部及び前記記憶部により記憶対象データの符号化及び記憶が行われている際に前記通信部により着信の検出があった場合に、前記データ符号化部及び前記記憶部による記憶対象データの符号化処理及び記憶処理と前記通信部による着信処理とのいずれを優先すべきかを判断し、前記データ符号化部及び前記記憶部による記憶対象データの符号化処理及び記憶処理を優先すべき場合に、前記通信部を制御して着信処理を停止させ、前記データ符号化部及び前記記憶部による記憶対象データの符号化処理及び記憶処理を継続させ、前記通信部による着信処理を優先すべき場合に、前記データ符号化部及び前記記憶部を制御して記憶対象データの符号化処理及び記憶処理を停止させ、前記通信部に着信処理を継続させる制御部とを有することを特徴とする。
【発明の効果】
【００１１】
本発明によれば、音声符号化部、音声復号部、コードブックをそれぞれ統合することにより、メモリの効率的な利用が可能になる。
【発明を実施するための最良の形態】
【００１２】
実施の形態１．
まず、本実施の形態に係る携帯電話装置（通信装置）の構成例を図１のブロック図に示す。図中の３は音声データを入力するマイク（データ取得部）、４は音声通話時およびビデオ録画時のそれぞれでマイクから入力した音声データを５のコードブック（音声通信）を用いて圧縮する通話音声符号化部（データ符号化部）、８は音声データを出力するレシーバ（データ出力部）、９は音声通話時およびビデオ再生時のそれぞれでレシーバに出力する音声データを５のコードブック（音声通信）を用いて復号する通話音声復号部（データ復号部）である。つまり、本実施の形態では、通話音声符号化部４は、マイク３から入力した音声通話用の音声データ、ビデオ録画用の音声データのいずれに対しても共通するコードブック（音声通信）５を用いて音声データの符号化を行う。また、通話音声復号部９は、無線部１３により受信された音声データ、記憶部１１からのビデオ再生用の音声データのいずれに対しても共通するコードブック（音声通信）５を用いて復号を行ない、復号後の音声データをレシーバ８に出力する。なお、その他のブロックは、図１１に示した従来の装置と同様である。
【００１３】
次に音声符号化・復号の動作について、図２、図３に従って説明する。図２に示すように、マイクから音声を入力するときに（Ｓ２０１、データ取得ステップ）、通話音声符号化部でコードブック（音声通信）を使用して音声を符号化する（Ｓ２０２、データ符号化ステップ）。ビデオが起動されている場合は（Ｓ２０３でＹｅｓ）、カメラから入力された画像とあわせて（Ｓ２０４）記憶部に記憶し（Ｓ２０５、記憶ステップ）、ビデオ起動中でない場合（Ｓ２０３でＮｏ）は、無線部より通信回線に出力する（Ｓ２０６、通信ステップ）。また、図３に示すように、音声を出力する場合は（Ｓ３０１）、ビデオ起動中であれば（Ｓ３０２でＹｅｓ）記憶部から再生する音声データを読み出し（Ｓ３０３）、ビデオ起動中でない場合（Ｓ３０２でＮｏ）は通信回線から再生する音声データを入力し（Ｓ３０５）、通話音声復号部でコードブック（音声通信）を使用して音声を復号し（Ｓ３０４、データ復号ステップ）、レシーバから音声を出力する（Ｓ３０６、データ出力ステップ）。
【００１４】
このように、本実施の形態では、カメラ機能を有する携帯電話装置で、画像と同時に音声を記憶するビデオ機能において、ビデオの録画・再生時に、携帯電話の音声通話での信号圧縮に使用されるコードブックを使用してビデオ音声データの符号化・復号化を行い、ビデオ機能専用のコードブックを使用しないようにしたのがポイントである。これにより、音声通話用のコードブックがあればビデオ用音声の録音・再生を行うことができるため、従来のビデオ機能つきの携帯電話装置に比べてメモリを削減することができる。つまり、ビデオ用の音声を、音声通信用で用いられる通話音声符号化部および通話音声復号部で録音・再生することで、ビデオ機能専用のコードブックを組み込む必要がなくなるため、メモリを節約することが可能である。
【００１５】
実施の形態２．
本実施の形態では、ビデオ録画もしくは再生中に音声着信を受けて競合が発生した場合の、競合回避動作について説明する。
【００１６】
図４及び図７は、本実施の形態に係る携帯電話装置１００の動作例を示すフローチャート図であり、図４はビデオ録画中に音声着信を受けて競合が発生した場合の動作例（制御ステップ）を示し、図７はビデオ再生中に音声着信を受けて競合が発生した場合の動作例（制御ステップ）を示す。
【００１７】
まず、図４について説明する。携帯電話装置１００の制御部１５は、ビデオ録画中であるか否か（Ｓ４０１）を監視しており、ビデオ録画中である場合には、無線部１３が着信を検出したか否か（Ｓ４０２）を判断し、着信を検出した場合は、ユーザに対して通話とビデオ録画のいずれが優先するかを問い合わせ、優先する処理が示された優先設定情報をユーザより入力する（Ｓ４０３）。次に、制御部１５は優先設定情報により通話及びビデオ録画のいずれが優先されるかを判断し（Ｓ４０４）、通話が優先される場合はＳ４０５に進み、ビデオ録画が優先される場合はＳ４１０に進む。通話が優先される場合は、まず、制御部１５は通話音声符号化部４におけるビデオ録画のための音声データの符号化を停止させ（Ｓ４０５）、更に、着信するまでに符号化されたビデオ録画のための音声データを記憶部１１に記憶させるとともに音声データの記憶を停止させ（Ｓ４０６）、ビデオ録画を終了させてから（Ｓ４０７）着信鳴動を行い（Ｓ４０８）、ユーザに着信を通知して着信処理を行う（Ｓ４０９）。一方、ビデオ録画が優先される場合は、制御部１５は、無線部１３を一時的に停止させ、擬似的に携帯電話装置を圏外状態にする擬似圏外処理を行うことで（Ｓ４１０）、ビデオ録画を継続させる（Ｓ４１１）。
【００１８】
また、ビデオ再生の場合は図７に示すように、携帯電話装置１００の制御部１５は、ビデオ再生中であるか否か（Ｓ７０１）を監視しており、ビデオ再生中である場合には、無線部１３が着信を検出したか否か（Ｓ７０２）を判断し、着信を検出した場合は、ユーザに対して通話とビデオ再生のいずれが優先するかを問い合わせ、優先する処理が示された優先設定情報をユーザより入力する（Ｓ７０３）。次に、制御部は優先設定情報により通話及びビデオ再生のいずれが優先されるかを判断し（Ｓ７０４）、通話が優先される場合はＳ７０５に進み、ビデオ再生が優先される場合はＳ７１０に進む。通話が優先される場合は、まず、制御部１５は通話音声復号部９におけるビデオ再生のための音声データの復号を停止させ（Ｓ７０５）、更に、着信するまでに復号されたビデオ再生のための音声データをレシーバ８から出力させるとともに音声データの出力を停止させ（Ｓ７０６）、ビデオ再生を終了させてから（Ｓ７０７）着信鳴動を行い（Ｓ７０８）、ユーザに着信を通知して着信処理を行う（Ｓ７０９）。一方、ビデオ再生が優先される場合は、制御部１５は、無線部１３を一時的に停止させ、擬似的に携帯電話装置を圏外状態にする擬似圏外処理を行うことで（Ｓ７１０）、ビデオ再生を継続させる（Ｓ７１１）。
【００１９】
このように、本実施の形態では、音声通話とビデオ機能のいずれを優先することも可能となっており、どちらを優先するかについては、ユーザに任意に選択可能とすることで、ユーザの携帯電話使用状況などに応じてビデオ機能又は通話のいずれも選択することができる。
【００２０】
実施の形態３．
本実施の形態では、ビデオ録画もしくは再生中に音声着信を受けて競合が発生した場合に、ユーザに問い合せることなく競合を回避する動作について説明する。なお、本実施の形態では、ビデオ機能と音声通話とが競合した際にいずれを優先するかを示す優先設定情報が記憶部１１に記憶されているものとする。
【００２１】
図５及び図８は、本実施の形態に係る携帯電話装置１００の動作例を示すフローチャート図であり、図５はビデオ録画中に音声着信を受けて競合が発生した場合の動作例（制御ステップ）を示し、図８はビデオ再生中に音声着信を受けて競合が発生した場合の動作例（制御ステップ）を示す。
【００２２】
まず、図５について説明する。図５では、図４におけるＳ４０３の処理がＳ５０１の処理に変更になった以外は、図４の動作と同じである。つまり、携帯電話装置１００の制御部１５は、ビデオ録画中であるか否か（Ｓ４０１）を監視しており、ビデオ録画中である場合には、無線部１３が着信を検出したか否か（Ｓ４０２）を判断し、着信を検出した場合は、記憶部１１から優先設定情報を読み込み（Ｓ５０１）、制御部は優先設定情報により通話及びビデオ録画のいずれが優先されるかを判断し（Ｓ４０４）、通話が優先される場合はＳ４０５に進み、ビデオ録画が優先される場合はＳ４１０に進む。通話が優先される場合は、まず、制御部１５は通話音声符号化部４におけるビデオ録画のための音声データの符号化を停止させ（Ｓ４０５）、更に、着信するまでに符号化されたビデオ録画のための音声データを記憶部１１に記憶させるとともに音声データの記憶を停止させ（Ｓ４０６）、ビデオ録画を終了させてから（Ｓ４０７）着信鳴動を行い（Ｓ４０８）、ユーザに着信を通知して着信処理を行う（Ｓ４０９）。一方、ビデオ録画が優先される場合は、制御部１５は、無線部１３を一時的に停止させ、擬似的に携帯電話装置を圏外状態にする擬似圏外処理を行うことで（Ｓ４１０）、ビデオ録画を継続させる（Ｓ４１１）。
【００２３】
また、ビデオ再生の場合は図８に示す通りである。図８では、図７におけるＳ７０３の処理がＳ８０１の処理に変更になった以外は、図７の動作と同じである。つまり、携帯電話装置１００の制御部１５は、ビデオ再生中であるか否か（Ｓ７０１）を監視しており、ビデオ再生中である場合には、無線部１３が着信を検出したか否か（Ｓ７０２）を判断し、着信を検出した場合は、記憶部１１から優先設定情報を読み込み（Ｓ８０１）、制御部は優先設定情報により通話及びビデオ再生のいずれが優先されるかを判断し（Ｓ７０４）、通話が優先される場合はＳ７０５に進み、ビデオ再生が優先される場合はＳ７１０に進む。通話が優先される場合は、まず、制御部１５は通話音声復号部９におけるビデオ再生のための音声データの復号を停止させ（Ｓ７０５）、更に、着信するまでに復号されたビデオ再生のための音声データをレシーバ８から出力させるとともに音声データの出力を停止させ（Ｓ７０６）、ビデオ再生を終了させてから（Ｓ７０７）着信鳴動を行い（Ｓ７０８）、ユーザに着信を通知して着信処理を行う（Ｓ７０９）。一方、ビデオ再生が優先される場合は、制御部１５は、無線部１３を一時的に停止させ、擬似的に携帯電話装置を圏外状態にする擬似圏外処理を行うことで（Ｓ７１０）、ビデオ再生を継続させる（Ｓ７１１）。
【００２４】
なお、携帯電話装置１００に、曜日、時間帯、気温、携帯電話装置（ユーザ）の移動速度などの使用環境を検知する機能を設け、優先設定情報にこれら使用環境に関する条件を設定し、使用環境に関する条件に合致する場合に音声通話又はビデオ機能のいずれかを優先させるようにしてもよい。例えば、１５：００〜１７：００はビデオ機能が優先し、それ以外の時間帯は音声通話が優先するといった条件を設定し、１５：００〜１７：００の間のビデオ録画中に着信があった場合は、ビデオ機能が優先し、１５：００〜１７：００以外の時間帯ではビデオ録画中に着信があった場合は、音声通話が優先するといった運用も可能である。
【００２５】
このように、本実施の形態では、音声通話とビデオ機能のいずれを優先することも可能となっており、どちらを優先するかについては、優先設定情報を予め設けておくことにより、ユーザに競合を意識させる事無く自由にビデオ機能が使用可能である。
【００２６】
実施の形態４．
本実施の形態では、ビデオ録画もしくは再生中に音声着信を受けて競合が発生した場合に、着信のあった電話番号に応じてビデオ機能及び音声通話のいずれを優先するかを選択する動作について説明する。なお、本実施の形態では、ビデオ機能と音声通話とが競合した際に音声通話を優先する電話番号を示す優先電話番号情報（優先着信識別情報）が記憶部１１に記憶されているものとする。
【００２７】
図６及び図９は、本実施の形態に係る携帯電話装置１００の動作例を示すフローチャート図であり、図６はビデオ録画中に音声着信を受けて競合が発生した場合の動作例を示し、図９はビデオ再生中に音声着信を受けて競合が発生した場合の動作例を示す。
【００２８】
まず、図６について説明する。図６では、図４におけるＳ４０３及びＳ４０４の処理がＳ６０１〜Ｓ６０３の処理に変更になった以外は、図４の動作と同じである。つまり、携帯電話装置１００の制御部１５は、ビデオ録画中であるか否か（Ｓ４０１）を監視しており、ビデオ録画中である場合には、無線部１３が着信を検出したか否か（Ｓ４０２）を判断し、着信を検出した場合は、着信のあった着信電話番号を特定し（Ｓ６０１）、記憶部１１から優先電話番号情報を読み込み（Ｓ６０２）、制御部は優先設定情報により通話及びビデオ録画のいずれが優先されるかを判断し（Ｓ４０４）、着信電話番号が優先電話番号情報に示された優先電話番号に該当するか否かを判断し（Ｓ６０３）、優先電話番号に該当する場合はＳ４０５に進み、優先電話番号に該当しない場合は、Ｓ４１０に進む。優先電話番号に該当する場合は、まず、制御部１５は通話音声符号化部４におけるビデオ録画のための音声データの符号化を停止させ（Ｓ４０５）、更に、着信するまでに符号化されたビデオ録画のための音声データを記憶部１１に記憶させるとともに音声データの記憶を停止させ（Ｓ４０６）、ビデオ録画を終了させてから（Ｓ４０７）着信鳴動を行い（Ｓ４０８）、ユーザに着信を通知して着信処理を行う（Ｓ４０９）。一方、優先電話番号に該当しない場合は、制御部１５は、無線部１３を一時的に停止させ、擬似的に携帯電話装置を圏外状態にする擬似圏外処理を行うことで（Ｓ４１０）、ビデオ録画を継続させる（Ｓ４１１）。
【００２９】
また、ビデオ再生の場合は図９に示す通りである。図９では、図７におけるＳ７０３及びＳ７０４の処理がＳ９０１〜Ｓ９０３の処理に変更になった以外は、図７の動作と同じである。つまり、携帯電話装置１００の制御部１５は、ビデオ再生中であるか否か（Ｓ７０１）を監視しており、ビデオ再生中である場合には、無線部１３が着信を検出したか否か（Ｓ７０２）を判断し、着信を検出した場合は、着信のあった着信電話番号を特定し（Ｓ９０１）、記憶部１１から優先電話番号情報を読み込み（Ｓ９０２）、着信電話番号が優先電話番号情報に示された優先電話番号に該当するか否かを判断し（Ｓ９０３）、優先電話番号に該当する場合はＳ７０５に進み、優先電話番号に該当しない場合は、Ｓ７１０に進む。優先電話番号に該当する場合は、まず、制御部１５は通話音声復号部９におけるビデオ再生のための音声データの復号を停止させ（Ｓ７０５）、更に、着信するまでに復号されたビデオ再生のための音声データをレシーバ８から出力させるとともに音声データの出力を停止させ（Ｓ７０６）、ビデオ再生を終了させてから（Ｓ７０７）着信鳴動を行い（Ｓ７０８）、ユーザに着信を通知して着信処理を行う（Ｓ７０９）。一方、優先電話番号に該当しない場合は、制御部１５は、無線部１３を一時的に停止させ、擬似的に携帯電話装置を圏外状態にする擬似圏外処理を行うことで（Ｓ７１０）、ビデオ再生を継続させる（Ｓ７１１）。
【００３０】
このように、本実施の形態では、音声通話とビデオ機能のいずれを優先することも可能となっており、どちらを優先するかについては、音声通話を優先する優先電話番号を予め設けておくことにより、ユーザに競合を意識させる事無く自由にビデオ機能が使用可能である。
【００３１】
実施の形態５．
以上の実施の形態１〜４では、音声データの処理に用いられる音声符号化部、音声復号部、音声通信用のコードブックを統合する場合について説明したが、図１０に示すように、画像データの処理に用いられる画像符号化部、画像復号部、画像通信用のコードブックを統合することも可能である。
【００３２】
本実施の形態では、携帯電話装置（通信装置）１００は、テレビ電話機能を実現する携帯電話装置であり、通話画像符号化部４０は、図１で示した通話音声符号化部４と同様に、カメラ２から入力したテレビ電話用の画像データ、録画用の画像データのいずれに対しても共通するコードブック（画像通信）５０を用いて画像データの符号化を行う。また、通話画像復号部９０は、図１で示した通話音声復号部９と同様に、表示部１２から出力するテレビ電話用の画像データ、再生用の画像データのいずれに対しても共通するコードブック（画像通信）５０を用いて画像データの復号を行う。なお、その他のブロックは、図１に示したものと同様である。また、本実施の形態に係る携帯電話装置の動作は、音声データを画像データに置き換えた点以外は実施の形態１〜４に示した動作と同じであり、説明を省略する。
【００３３】
このように、本実施の形態では、ビデオの録画・再生時に、携帯電話のテレビ電話機能での信号圧縮に使用されるコードブックを使用してビデオ画像データの符号化・復号化を行い、ビデオ機能専用のコードブックを使用しないようにしたのがポイントである。これにより、テレビ電話用のコードブックがあればビデオ用画像の録画・再生を行うことができるため、従来のビデオ機能に比べてメモリを削減することができる。つまり、ビデオ用の画像を、テレビ電話で用いられる通話画像符号化部および通話画像復号部で録画・再生することで、ビデオ機能専用のコードブックを組み込む必要がなくなるため、メモリを節約することが可能である。
【００３４】
なお、前述した各実施の形態で、携帯電話装置１００は、プログラムを実行するＣＰＵ（Ｃｅｎｔｒａｌ  Ｐｒｏｃｅｓｓｉｎｇ  Ｕｎｉｔ）を備えている。例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信ボード、表示装置、Ｋ／Ｂ（キーボード）等と接続されている。前述した各実施の形態の携帯電話装置１００が扱うデータや情報は、記憶部に保存され、携帯電話装置１００の各部により、記録され読み出されるものである。
【００３５】
上記携帯電話装置１００の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【００３６】
上記プログラム群には、実施の形態の説明において「〜部」として説明した処理をＣＰＵに実行させるプログラムが記憶される。これらのプログラムは、例えば、Ｃ言語やＨＴＭＬやＳＧＭＬやＸＭＬなどのコンピュータ言語により作成される。また、上記プログラムは、各種記録媒体に記憶され、ＣＰＵにより読み出され実行される。
【図面の簡単な説明】
【００３７】
【図１】実施の形態１に係る携帯電話装置の構成例を示す図。
【図２】実施の形態１に係る携帯電話装置の動作例を示すフローチャート図。
【図３】実施の形態１に係る携帯電話装置の動作例を示すフローチャート図。
【図４】実施の形態２に係る携帯電話装置の動作例を示すフローチャート図。
【図５】実施の形態３に係る携帯電話装置の動作例を示すフローチャート図。
【図６】実施の形態４に係る携帯電話装置の動作例を示すフローチャート図。
【図７】実施の形態２に係る携帯電話装置の動作例を示すフローチャート図。
【図８】実施の形態３に係る携帯電話装置の動作例を示すフローチャート図。
【図９】実施の形態４に係る携帯電話装置の動作例を示すフローチャート図。
【図１０】実施の形態５に係る携帯電話装置の構成例を示す図。
【図１１】従来の携帯電話装置の構成例を示す図。
【図１２】従来の携帯電話装置の動作例を示すフローチャート図。
【図１３】従来の携帯電話装置の動作例を示すフローチャート図。
【符号の説明】
【００３８】
１  操作部、２  カメラ、３  マイク、４  通話音声符号化部、５  コードブック（音声通信）、８  レシーバ、９  通話音声復号部、１１  記憶部、１２  表示部、１３  無線部、１４  通信回線、４０  通話画像符号化部、５０  コードブック（画像通信）、９０  通話画像復号部、１００  携帯電話装置。
【図１】
2005348138.tif 000003
【図２】
2005348138.tif 000004
【図３】
2005348138.tif 000005
【図４】
2005348138.tif 000006
【図５】
2005348138.tif 000007
【図６】
2005348138.tif 000008
【図７】
2005348138.tif 000009
【図８】
2005348138.tif 000010
【図９】
2005348138.tif 000011
【図１０】
2005348138.tif 000012
【図１１】
2005348138.tif 000013
【図１２】
2005348138.tif 000014
【図１３】
2005348138.tif 000015